(57)【要約】      （修正有）【課題】経時変化によっても隣り合った粘着剤層間に粘着作用が働かず、改ざん防止効果が継続するラベルを開封し再使用したときに再使用であることが容易に判別できる様な改ざん防止ラベルを提供する。【解決手段】剥離台紙１１上に粘着剤層を介してラベル基材１３が設けられおり、貼着後剥離時にラベル基材が破断する形状の切込１４をラベル基材に形成している改ざん防止ラベルにおいて、切込が切込により分離された粘着剤層どうしが粘着しない間隔の幅を持つことを特徴とする改ざん防止ラベルを提供する。【選択図】図１
2008116532.tif 000002
【特許請求の範囲】
【請求項１】
剥離台紙上に粘着剤層を介してラベル基材が設けられおり、貼着後剥離時にラベル基材が破断する形状の切込をラベル基材に形成している改ざん防止ラベルにおいて、切込が切込により分離された粘着剤層どうしが粘着しない間隔の幅を持つことを特徴とする改ざん防止ラベル。
【請求項２】
請求項１に記載の切込がレーザ照射により形成されたものであることを特徴とする改ざん防止ラベル。
【請求項３】
切込と交差してＩＣチップのアンテナが設けられていることを特徴とする請求項１または２に記載の改ざん防止ラベル。
【請求項４】
ＩＣチップのアンテナがレーザ反射性材料からなることを特徴とする請求項３記載の改ざん防止ラベル。
【請求項５】
アンテナが剥離台紙と粘着剤層の間に設けられていることを特徴とする請求項３または４記載の改ざん防止ラベル。
【請求項６】
アンテナがラベル基材内部に設けられていることを特徴とする請求項３または４記載の改ざん防止ラベル。
【請求項７】
ラベル基材が複数のラベル用紙より構成し、ラベル用紙間にＩＣチップのアンテナが設けられていることを特徴とする請求項６記載の改ざん防止ラベル。
【請求項８】
切込と交差している部分のＩＣチップのアンテナが切断されていないことを特徴とする請求項３乃至７何れか記載の改ざん防止ラベル。
【請求項９】
切込と交差している部分のＩＣチップのアンテナが貼着後剥離時に破断する脆弱性材料から構成されていることを特徴とする請求項８記載の改ざん防止ラベル。
【発明の詳細な説明】
【技術分野】
【０００１】
本発明は、例えば容器等の内容物を販売前に窃取し再び封を行ったり、内容物を不正に入れ替える等の不正が行われるのを防止するため、ラベルを開封し再使用したときに再使用であることが容易に判別できる様な改ざん防止ラベルに関するものである。
【背景技術】
【０００２】
従来、いったん封などに使用した後、再使用を防止するためにラベルを再使用できなくなる方法として古くからラベルに切込を入れる方法が知られている。この様な切込は、使用後ラベルを剥がそうとするときに切込部分で持ち上げ部分と未だ持ち上げられていない貼着部分との間で切込が別れ、その切込部分でラベルが破断し、不自然な破断を生じたり、一部が剥がれずに残ったりしてラベルを再使用できなくするものであり、その切込はどこから剥がし始めてもどこかで破断が生じる様に、各辺に設けたり、中央に設けたり、極めて狭い間隔で切込を設けたり、不定形に切込を設けたり、不連続に切込を設けるなどの各種方法がしられている。
【０００３】
なお、ラベルに関してレーザを用いる技術も特許文献１や２に示した様な技術が知られているが、これはラベルの断裁に関する技術であり、切込に関する技術ではない。
【０００４】
特許文献は以下の通り。
【特許文献１】特公平６−４０２３９号公報
【特許文献２】特開平１０−９１０６８号公報
【発明の開示】
【発明が解決しようとする課題】
【０００５】
しかし、従来提案されてきた切込は、抜き刃で行われていた。これは、図８で示す様に、剥離台紙１１上に粘着剤層１２とラベル基材１３が積層して設けられており、その剥離台紙１１と粘着剤層１２とラベル基材１３を抜き刃３１による切込１４が設けられている。
【０００６】
抜き刃ではハーフカットが可能で、剥離紙まで切込を入れることなくラベル本体部分のみに切込を入れることが可能なため、使用前からバラバラになることを防止することが可能であるという利点があるためであった。しかしながら、この様な抜き刃による切込を作成した場合は、確かにいったんラベル基材層とともに粘着剤層も切込が入れられて分離するが、粘着剤層の材料が粘着物質であるために、経時変化により隣り合った粘着剤層間に粘着作用が働き、粘着する現象が発生する。この結果、封などに使用している改ざん防止ラベルも、一部から剥がしたときに切込部分の剥がしていない部分も引き上げることによって引き上げた側に接着して引き上げられ、繋がったままになってしまい、破断やラベルの欠けを生じていない元の使用前の状態のまま全体を剥がすことに成功してしまう場合が発生していた。この様な場合は、このままラベルとして再使用しても再使用であることの痕跡がないために、内容物に不正を行い、しかも不正使用が発覚しない様なラベルの再使用が可能となっていた。
【０００７】
そこで本発明では、経時変化によっても隣り合った粘着剤層間に粘着作用が働かず、改ざん防止効果が継続するラベルを開封し再使用したときに再使用であることが容易に判別できる様な改ざん防止ラベルを提供することを目的とする。
【課題を解決するための手段】
【０００８】
本発明の請求項１に係わる発明として、剥離台紙上に粘着剤層を介してラベル基材が設けられおり、貼着後剥離時にラベル基材が破断する形状の切込をラベル基材に形成している改ざん防止ラベルにおいて、切込が切込により分離された粘着剤層どうしが粘着しない間隔の幅を持つことを特徴とする改ざん防止ラベルを提供するものである。
【０００９】
また、本発明の請求項２に係わる発明として、請求項１に記載の切込がレーザ照射により形成されたものであることを特徴とする改ざん防止ラベルを提供するものである。
【００１０】
また、本発明の請求項３に係わる発明として、切込と交差してＩＣチップのアンテナが設けられていることを特徴とする請求項１または２に記載の改ざん防止ラベルを提供するものである。
【００１１】
また、本発明の請求項４に係わる発明として、ＩＣチップのアンテナがレーザ反射性材料からなることを特徴とする請求項３記載の改ざん防止ラベルを提供するものである。
【００１２】
また、本発明の請求項５に係わる発明として、アンテナが剥離台紙と粘着剤層の間に設けられていることを特徴とする請求項３または４記載の改ざん防止ラベルを提供するものである。
【００１３】
また、本発明の請求項６に係わる発明として、アンテナがラベル基材内部に設けられていることを特徴とする請求項３または４記載の改ざん防止ラベルを提供するものである。
【００１４】
また、本発明の請求項７に係わる発明として、ラベル基材が複数のラベル用紙より構成し、ラベル用紙間にＩＣチップのアンテナが設けられていることを特徴とする請求項６記載の改ざん防止ラベルを提供するものである。
【００１５】
また、本発明の請求項８に係わる発明として、切込と交差している部分のＩＣチップのアンテナが切断されていないことを特徴とする請求項３乃至７何れか記載の改ざん防止ラベルを提供するものである。
【００１６】
また、本発明の請求項９に係わる発明として、切込と交差している部分のＩＣチップのアンテナが貼着後剥離時に破断する脆弱性材料から構成されていることを特徴とする請求項８記載の改ざん防止ラベルを提供するものである。
【発明の効果】
【００１７】
以上の様に請求項１に係る本発明によれば、切込部分で粘着作用が隣接する粘着剤層間で復活するだけの経時があっても、その切込による間隔により粘着作用が復活することなく、使用後ラベルを剥がそうとするときに切込部分で持ち上げ部分と未だ持ち上げられていない貼着部分との間で切込が別れ、その切込部分でラベルが破断し、不自然な破断を生じたり、一部が剥がれずに残ったりしてラベルを再使用できなくする効果を維持し続けることが可能になった。
【００１８】
また、請求項２に係る本発明によれば、請求項１に係る切込部分で粘着作用が隣接する粘着剤層間で生じない間隔を確実にかつ安定的に設ける具体的方法を提供することが可能になった。
【００１９】
また、請求項３に係る本発明によれば、ＩＣチップのアンテナ部分の破断を再使用のときの改ざん判定に用いることにより、改ざん防止効果を高めることができるものである。
【００２０】
また、請求項４に係る本発明によれば、切込と直交してアンテナを設ける構造とするこ
とが可能となったため、抜き刃によりアンテナが製造時に破断する不良が発生することもなくなったものである。
【００２１】
また、請求項５に係る本発明によれば、粘着力が粘着剤層とＩＣチップのアンテナに働くことを利用して、極めて簡易に本発明を実施する構成を提供するものである。
【００２２】
また、請求項６に係る本発明によれば、ＩＣチップのアンテナが内部にあるためにラベルの破壊なしには細工が困難であり、アンテナの破断防止することなく剥離することを困難にすることを可能にする構成を提供するものである。
【００２３】
また、請求項７に係る本発明によれば、請求項６記載の発明を実施を容易にする構成を提供するものである。
【００２４】
また、請求項８に係る本発明によれば、レーザ照射部分においてアンテナ部分がレーザ反射性を有するため、その部分で切込部分が仮に繋がる形状となるため、最初の使用時に安定的に剥離台紙から剥がすことが可能となったものであるだけでなく、切込と直交してアンテナを設ける構造とすることが可能となったため、抜き刃によりアンテナが製造時に破断する不良が発生することもなくなったものである。
【００２５】
また、請求項９に係る本発明によれば、不正に再使用のために剥がすことをいよいよ困難にし、アンテナの破断により容易に再使用であることを検知することが可能になったものである。
【発明を実施するための最良の形態】
【００２６】
本発明の改ざん防止ラベルの最良の形態の一例を用いて本発明について図面を用いて説明する。
【００２７】
図１は、本発明の改ざん防止ラベルの最良の形態の一例の平面図、図２は同Ａ−Ａ部分拡大切断斜視図である。剥離台紙１１上に粘着剤層１２とラベル基材１３が積層して設けられており、その剥離台紙１１と粘着剤層１２とラベル基材１３を貫通してレーザ照射による切込１４が設けられている。この場合、レーザが剥離台紙１３まで貫通しているが、図３の様に貫通していなくても構わない。
【００２８】
なお、ラベル基材１３表面には、図１で示した様に、改ざんが明らかになる様な印刷１５が表面に設けられている。
【００２９】
この場合、切込１４が連続せず、繋ぎ目１６を設けている。これは、ラベルを剥離台紙１１より剥がして改ざん防止対象に貼り付け、剥がそうとして引き上げると、その繋ぎ目１６の繋ぎより粘着剤層１２の粘着性能が勝り、繋ぎ目１６が切れて切込１４が繋がって再使用した場合、その繋ぎ目で改ざんしようとしたことが分かる様になっている。
【００３０】
また、図４は本発明の別な改ざん防止ラベルの最良の形態の一例の平面図、図２は同Ｂ−Ｂ断面図である。剥離台紙１１上にＩＣチップのアンテナ２１と粘着剤層１２とラベル基材１３が積層して設けられており、その剥離台紙１１と粘着剤層１２とラベル基材１３を貫通してレーザ照射による切込１４が設けられている。この場合、ＩＣチップのアンテナ２１はレーザを反射するためにＩＣチップのアンテナ２１は切込１４が設けられない。なお、図５は概念断面図であるので剥離台紙１３まで貫通している様に描いているが、実際はＩＣチップのアンテナ２１で上部が覆われている部分の剥離台紙１１はレーザが届かず、その部分の剥離台紙１３は切込１４が形成されず、ＩＣチップのアンテナ２１で上部が覆われていない部分の剥離台紙１１のみに切込１４が形成される。
【００３１】
この場合、切込１４が狭い間隔で設けられているために、ラベルを剥離台紙１１より剥がして改ざん防止対象に貼り付け、剥がそうとして引き上げると、その切込１４がよじれてＩＣチップのアンテナ２１が破断してしまう。これにより、ＩＣチップに正規の長さのアンテナが付いていないことにより、正常な信号の送受信が行えなくなり、再使用した場合に再使用したことが容易に判別できる様になる。
【００３２】
この様な改ざん防止手段を組み合わせることにより、視覚と電波の送受信両方の改ざん防止効果を得ることが可能になる。
【００３３】
なお、ここで用いるＩＣチップのアンテナとしては、図６の様な、直線形状のもので、その長さを感知して改ざんの有無を検知する構成の他、図７の様なコイル形状のアンテナを用いて、そのコイルのどこかで破断した場合に改ざんの有無を検知する様な構成であっても構わない。この場合、アンテナ部２２とその表面に設けた樹脂層２３からなっているが、レーザ反射性を持つのがアンテナ部２２であっても、樹脂層２３であっても構わないものである。
【００３４】
この場合、ＩＣチップのアンテナ自身がレーザ反射性、もしくはその表面がレーザ反射性であれば、切込１４部分に設けることことことできるが、もしそうでなければ、切込１４部分に設けることはできず、繋ぎ目１６の様な、剥離時に破断する部分に設ける構成となる。
【００３５】
また、別な構成として、剥離台紙と粘着剤層の間に設けず、ラベル基材内部に組み込むことも可能であり、その場合は、複数のラベル用紙を貼り合わせてその内部に仕込むことにより、より一層の改ざん防止効果を得ることも可能である。
【００３６】
この他、切込の形状としてミシン目などもレーザであるので自由な形状で設けることができる。
【００３７】
この様な改ざん防止ラベルの製造方法としては、まず剥離台紙１１上に粘着剤層１２とラベル基材１３が積層して設け、もしくは、剥離台紙１１上にＩＣチップのアンテナ２１と粘着剤層１２とラベル基材１３が積層して設け、そののちレーザで切込１４を形成するのが一般的である。もちろん、この様な切込１４の形成時にラベルを分離する工程を組み込んでも構わない。
【００３８】
この様にして出来た切込の幅長は０．２ｍｍであった。抜き刃により切込を設けたラベルとレーザにより切込を設けたラベルを製造後すぐ使用し、すぐに剥がした場合は、両方とも切込から破断を生じ、ＩＣチップのアンテナが正常に送受信しなかった。対して、使用した後、３日間常温に放置したあと剥がした場合は、レーザにより切込から破断を生じ、ＩＣチップのアンテナが正常に送受信しなかったのに対して、抜き刃により切込を設けたラベルは、端部を引き上げても切込部分でも連なって引き上げられてしまい、見た目も正常のものと変わりなく、また、ＩＣチップのアンテナが正常に送受信したので、そのまま再使用出来て改ざん効果を発揮しなかった。
【図面の簡単な説明】
【００３９】
【図１】本発明の改ざん防止ラベルの最良の形態の一例の平面図である。
【図２】同Ａ−Ａ線による部分拡大切断斜視図である。
【図３】同剥離台紙までレーザが貫通してない場合を示す概念断面図である。
【図４】本発明の図１の例とは別な改ざん防止ラベルの最良の形態の一例の平面図である。
【図５】同Ｂ−Ｂ部による部分拡大断面図である。
【図６】本発明に用いられるＩＣチップ用アンテナの平面図である。
【図７】本発明に用いられる図６とは異なるＩＣチップ用アンテナの平面図である。
【図８】従来の改ざん防止ラベルの一例の断面図である。
【符号の説明】
【００４０】
１１・・・剥離台紙
１２・・・粘着剤層
１３・・・ラベル基材
１４・・・切込
１５・・・印刷
１６・・・繋ぎ目
２１・・・ＩＣチップのアンテナ
２２・・・アンテナ本体
２３・・・樹脂層
３１・・・抜き刃
【図１】
2008116532.tif 000003
【図２】
2008116532.tif 000004
【図３】
2008116532.tif 000005
【図４】
2008116532.tif 000006
【図５】
2008116532.tif 000007
【図６】
2008116532.tif 000008
【図７】
2008116532.tif 000009
【図８】
2008116532.tif 000010